(57)【要約】【課題】貯蔵室の容積を大きく確保できる冷蔵庫の提供。【解決手段】外箱１１０と内箱１１１の間に発泡断熱材１１２を充填して構成した冷蔵庫本体１０１を備え、前記冷蔵庫本体は上下方向に温度帯の異なる複数の貯蔵室１０２，１０３を有するとともに、当該貯蔵室同士の間の後方に冷気通路となる往きダクト１２１を設け、この往きダクト内に冷気循環用の冷却ファン１０４を配置した構成としてある。これにより、冷却ファンは傾斜設置しても貯蔵室側にはみ出す部分は貯蔵室同士間に位置する往きダクトの前後方向スペース内に位置させて貯蔵室背面部での設置容積を削減でき、冷却器を設置した冷却室の前後幅を必要最小限に抑制して冷却室前方の貯蔵室容積を大きなものとすることができる。【選択図】図２
2016186378.tif 000002
【特許請求の範囲】
【請求項１】
外箱と内箱の間に発泡断熱材を充填して構成した冷蔵庫本体を備え、前記冷蔵庫本体は上下方向に温度帯の異なる複数の貯蔵室を有するとともに、当該貯蔵室同士の間の後方に冷気通路となるダクトを設け、このダクト内に冷気循環用の冷却ファンを配置した冷蔵庫。
【請求項２】
冷蔵庫本体の内箱は複数の箱体を上下方向に設けて温度帯の異なる複数の貯蔵室を形成するとともに、当該貯蔵室を形成する各箱体同士間の後方を冷気通路となるダクトで連結し、このダクト内に冷却ファンを配置した請求項１記載の冷蔵庫。
【請求項３】
冷却ファンを内蔵したダクトは、吸込口と吐出口を備え、前記吸込口と隣接する前記冷却ファンの吹出し側部分には当該冷却ファンよりも下方位置の貯蔵室へ冷気を供給する冷気往き通路を設けた請求項１または２記載の冷蔵庫。
【請求項４】
ダクトはファン保持部を有し、このファン保持部に冷却ファンのファン筐体を圧入？固定して一体化した請求項１〜３のいずれか１項記載の冷蔵庫。
【発明の詳細な説明】
【技術分野】
【０００１】
本発明は冷蔵庫に関し、特にその冷却ファン設置構成に関するものである。
【背景技術】
【０００２】
一般に冷蔵庫は冷蔵庫本体内に冷蔵室や冷凍室等の温度帯の異なる複数の貯蔵室を設け、温度帯の低い例えば冷凍室となる貯蔵室の背部に冷却室が形成してある。そして、上記冷却室に冷気生成用の冷却器と冷気循環用の送風ファンが組み込んである（例えば、特許文献１参照）。
【０００３】
図１３は上記特許文献１記載の冷蔵庫を示し、１１は冷蔵庫本体で、外箱１２と内箱１３との間に発泡断熱材１４を充填して構成してあり、内箱１３の内部には温度帯の異なる複数の貯蔵室、例えば冷蔵室１５や冷凍室１６等が設けてある。そして、前記冷凍室１６の背部には冷却室１７を設け、この冷却室１７に冷気生成用の冷却器１８と冷気循環用の冷却ファン１９が組み込んであり、冷却器１８で生成した冷気を冷却ファン１９で前記冷蔵室１５や冷凍室１６に循環させ、内部の食材を冷却保存するようになっている。
【先行技術文献】
【特許文献】
【０００４】
【特許文献１】特開平３−２５５８６５号公報
【発明の概要】
【発明が解決しようとする課題】
【０００５】
しかしながら、上記従来の構成では、冷却ファン１９を組み込んだ冷却室１７の前後幅が大きなものとなり、冷却室１７前方の貯蔵室、例えば冷凍室１６の容積を狭め収納量を低下させてしまうという課題があった。
【０００６】
すなわち、冷却ファン１９は冷却器１８よりも前後幅が大きいため、これを傾斜設置したとしてもその設置寸法は冷却器１８の前後幅よりも大きなものとなってしまい、結果的に冷却ファン１９を組み込んだ冷却室１７の前後幅が大きくなってその分冷凍室１６となる貯蔵室の容積が減少し、収納量を低下させてしまうのであった。
【０００７】
本発明はこのような点に鑑みてなしたもので、貯蔵室の容積を大きく確保できる冷蔵庫の提供を目的としたものである。
【課題を解決するための手段】
【０００８】
本発明は上記目的を達成するため、外箱と内箱の間に発泡断熱材を充填して構成した冷蔵庫本体を備え、前記冷蔵庫本体は上下方向に温度帯の異なる複数の貯蔵室を有するとともに、当該貯蔵室同士の間の後方に冷気通路となるダクトを設け、このダクト内に冷気循環用の冷却ファンを配置した構成としてある。
【０００９】
これにより、冷却ファンは傾斜設置しても貯蔵室側にはみ出す部分は貯蔵室同士間に位置するダクトの前後方向スペース内に位置させて貯蔵室背面部での設置容積を削減でき、冷却器を設置した冷却室の前後幅を必要最小限に抑制して冷却室前方の貯蔵室容積を大きなものとすることができる。
【発明の効果】
【００１０】
本発明は、上記構成により冷却ファン設置による貯蔵室容積減少を抑制して大きな貯蔵
室容積を確保した冷蔵庫を提供することができる。
【図面の簡単な説明】
【００１１】
【図１】本発明の実施の形態１における冷蔵庫の正面図
【図２】同冷蔵庫の断面図
【図３】同冷蔵庫の内箱を正面側から見た斜視図
【図４】同冷蔵庫の内箱を背面側から見た斜視図
【図５】同冷蔵庫の内箱を分解して示す斜視図
【図６】同冷蔵庫の内箱を構成する上・下箱体の前板連結部分を示す斜視図
【図７】同冷蔵庫の内箱を構成する上・下箱体の前板連結部分を切断して示す斜視図
【図８】同冷蔵庫の内箱を構成する上・下箱体の後方部を連結する冷気往きダクト部分の拡大断面図
【図９】同冷蔵庫の冷気往きダクトを示す断面図
【図１０】同冷蔵庫の冷気往きダクトを示す平面図
【図１１】同冷蔵庫の往きダクトを示す斜視図
【図１２】同冷蔵庫の往きダクトを示す分解斜視図
【図１３】従来の冷蔵庫を示す断面図
【発明を実施するための形態】
【００１２】
第１の発明は、外箱と内箱の間に発泡断熱材を充填して構成した冷蔵庫本体を備え、前記冷蔵庫本体は上下方向に温度帯の異なる複数の貯蔵室を有するとともに、当該貯蔵室同士の間の後方に冷気通路となるダクトを設け、このダクト内に冷気循環用の冷却ファンを配置した構成としてある。
【００１３】
これにより、冷却ファンは傾斜設置しても貯蔵室側にはみ出す部分は貯蔵室同士間に位置するダクトの前後方向スペース内に位置させて貯蔵室側にはみ出す設置容積を削減でき、冷却器を設置した冷却室の前後幅を必要最小限に抑制して冷却室前方貯蔵室の容積を大きなものとすることができる。
【００１４】
第２の発明は、第１の発明において、前記冷蔵庫本体の内箱は複数の箱体を上下方向に設けて温度帯の異なる複数の貯蔵室を形成するとともに、当該貯蔵室を形成する各箱体同士間の後方を冷気通路となるダクトで連結し、このダクト内に冷却ファンを配置した構成としてある。
【００１５】
これにより、前記第１発明と同様冷却室前方貯蔵室の容積を大きなものとすることができるうえに、冷蔵庫本体内に複数の貯蔵室を形成するに際し内箱の内部に別途仕切板を設けて貯蔵室を区画形成する必要がなくなり、仕切板を必要としなくなる分構成や組み立て工数を簡素化してコストダウンを図ることができる。しかも、上記冷却ファンを内蔵したダクトはモジュール化して形状や大きさが異なるどのような冷蔵庫本体であっても組み込むことができ、共用化によるコストダウンや機種展開等の容易化を実現することができる。
【００１６】
例えば、各貯蔵室間に冷却ファンを設ける他の例として内箱とは別に当該内箱内を区画するために設ける仕切板の後部に冷却ファンを組み込むことが考えられるが、この方式の場合は冷蔵庫本体の形状や大きさに応じた仕切板しか使用できず共用化できない。しかしながら、上記ダクト方式であれば上記仕切板方式のような制約を受けることなくどのような形状や大きさの冷蔵庫本体であっても組み込むことが可能となり、共用化によるコストダウンや機種展開等を容易に実現することができるのである。加えて、前記冷却ファンを設けたダクトは前記各箱体の後方部を連結しているので、上・下箱体を一体化して構成した内箱全体の剛性を高めることができ、生産過程で移動させる時等に内箱を損傷させてし
まう等のことを防止できると同時に内箱移動も気を使うことなくスムーズに行えるようになり、歩留まりや生産性を向上させてコストダウンを図ることができる。
【００１７】
第３の発明は、第１または第２の発明において、前記冷却ファンを内蔵したダクトは、吸込口と吐出口を備え、前記吸込口と隣接する前記冷却ファンの吹出し側部分には当該冷却ファンよりも下方位置の貯蔵室へ冷気を供給する冷気往き通路を設けた構成としてある。
【００１８】
これにより、ダクトの吸込口側部分は吸込口部分と冷気往き通路部分との二重構成となってその剛性を向上させることができるとともに、ダクトを設置するだけで当該ダクトよりも下方位置の貯蔵室への冷気通路を確保することができ、冷蔵庫本体側の冷気通路構成を簡素化することができる。
【００１９】
第４の発明は、第１〜第３の発明において、前記ダクトはファン保持部を有し、このファン保持部に冷却ファンのファン筐体を固定して一体化した構成としてある。
【００２０】
これにより、ファン保持部とファン筐体との間から冷気が漏れて効率が低下するのを防止できるとともに、冷却ファンとダクトとがユニット化されて一つの部品となるから、搬送時等における取り扱いが容易になって生産性も向上する。
【００２１】
以下、本発明の実施の形態について、図面を参照しながら説明する。なお、この実施の形態によって本発明が限定されるものではない。
【００２２】
（実施の形態１）
図１は本発明の実施の形態１における冷蔵庫の正面図、図２は同冷蔵庫の断面図、図３は同冷蔵庫の内箱を正面側から見た斜視図、図４は同冷蔵庫の内箱を背面側から見た斜視図、図５は同冷蔵庫の内箱を分解して示す斜視図、図６は同冷蔵庫の内箱を構成する上下箱体の前板連結部分を示す斜視図、図７は同冷蔵庫の内箱を構成する上・下箱体の前板連結部分を切断して示す斜視図、図８は同冷蔵庫の内箱を構成する上・下箱体の後方部を連結する冷気往きダクト部分の拡大断面図、図９は同冷蔵庫の冷気往きダクトを示す断面図、図１０は同冷蔵庫の冷気往きダクトを示す平面図、図１１は同往きダクトの斜視図、図１２は同往きダクトの分解斜視図である。
【００２３】
図１〜図５において、この冷蔵庫はその内方と外方とを断熱状態で隔てる冷蔵庫本体１０１内に複数に区画した貯蔵室を備えている。この実施の形態の場合は図２等に示すように温度帯の異なる二つの貯蔵室に区画してあり、例えば下部の貯蔵室１０２は冷凍室、上部の貯蔵室１０３は冷蔵室と区別して称している。
【００２４】
上記上部の貯蔵室１０３の冷蔵室は食品が凍らない程度の温度、通常１℃〜５℃程度に設定し、その下部の冷凍室となる貯蔵室１０２は−２０℃程度に設定してあって、両貯蔵室１０２，１０３間の温度差は大きいものがある。
【００２５】
また、前記冷凍室となる下部の貯蔵室１０２の背部には各貯蔵室１０２，１０３内に冷気を循環させる冷却ファン１０４と、当該冷気を生成する冷却器１０５等を収納した冷却室１０６が設けてある。
【００２６】
ここで、前記冷蔵庫本体１０１は金属薄板製の外箱１１０とポリスチレン等の樹脂製の内箱１１１との間に例えば硬質発泡ウレタン等の発泡断熱材１１２を充填発泡させて構成してあり、外方の大気から冷蔵庫本体１０１の内方に流入しようとする熱を遮断する構成としてある。
【００２７】
また、この冷蔵庫は前記冷凍室となる貯蔵室１０２を開閉する第１扉１１３と、冷蔵室となる貯蔵室１０３を開閉する第２扉１１４を備え、これら各扉１１３，１１４は例えば右側端部を冷蔵庫本体１０１に回転自在に取り付けてあり、硬質発泡ウレタンを充填発泡させて構成してある。
【００２８】
前記冷蔵庫本体１０１の内箱１１１は、図３〜図５に示すように、個別の箱体１１５，１１６を上下方向に複数配置して温度帯の異なる貯蔵室、すなわち冷蔵室となる貯蔵室１０３と、冷凍室となる貯蔵室１０２を形成している。そして、前記個別の各箱体１１５，１１６の相対向する壁面１１５ａ，１１６ａが前記上下各貯蔵室１０２，１０３の間を仕切る仕切板１１７となる形となっている。
【００２９】
また、前記個別の各箱体１１５，１１６はその相対向する壁面１１５ａ，１１６ａの前端フランジ１１８，１１９を金属製の前板１２０により連結して一体化するとともに、仕切板１１７の後方である上・下箱体１１５，１１６の後方部を合成樹脂からなる冷気通路用の往きダクト１２１および戻りダクト１２２で連結固定した構成としてある。
【００３０】
上記上・下箱体１１５，１１６の後方部を連結するダクトのうち冷気通路用の往きダクト１２１は、図８、図９に示すように吐出口１２３となる上端開口端を後ろ上がり状に傾斜させ、その頂点近傍部分から前下がり傾斜状に冷却ファン１０４が組み込んである。
【００３１】
具体的には、往きダクト１２１は、後ろ上がり状に傾斜した吐出口１２３の後部頂点近傍部分から前下がり状に略四角枠状のファン保持部１２４を一体成型してあり、このファン保持部１２４に前記した冷却ファン１０４が組み込んである。そして、上記冷却ファン１０４はその合成樹脂からなるファン筐体１２５を前記ファン保持部１２４に圧入嵌合して一体化してあり、その下部前端部分は前記上・下箱体１１５，１１６同士間に位置する往きダクト１２１の前後方向スペース内に位置している。
【００３２】
また、上記往きダクト１２１はその吐出口１２３となる上端開口部を冷蔵室となる上箱体１１５の内面背部に設けた冷蔵冷気ダクト１２６に連なるダンパダクト１２７の下端部に嵌合接続してある。
【００３３】
一方、往きダクト１２１の吸込口１２８となる下部開口端部分は、吸込口１２８とともにこれと隣接する前記冷却ファン１０４の吹出し側部分に冷気往き通路１２９を設けて二重筒構成としてある。そして、前記往きダクト１２１の下部開口端縁に設けたフランジ１３０部分を冷凍室となる下箱体１１６の壁面１１６ａ後部に被せ装着して、吸込口１２８は下箱体１１６の内面背部に形成した冷却室１０６の上端開口に連通接続させ、冷気往き通路１２９は下内箱１１６内の貯蔵室１０２に連通接続してある。
【００３４】
また、上記往きダクト１２１の左右両端部にはファン用リード線等の配線を接続するコネクタ等の収納部１２１ａが一体形成してある。
【００３５】
なお、前記前板１２０は図６、図７に示すようにその上下両端全域に略Ｕ字状の係合片部１３１を形成し、この係合片部１３１で形成した係合用凹部１３１ａに上・下各箱体１１５，１１６の前端フランジ１１８，１１９を圧入嵌合させて当該各箱体１１５，１１６の前端を連結一体化している。
【００３６】
図中１３２は各箱体１１５，１１６の前端フランジ１１８，１１９に設けた凹条部で、結露防止用放熱パイプ１３３が嵌め込んであり、前板１２０の係合片部１３１によって押圧されて前記結露防止用放熱パイプ１３３を前板内面に圧接する形となっている。
【００３７】
以上のように構成した冷蔵庫について、以下その動作、作用について説明する。
【００３８】
まず、冷気の流れを簡単に説明すると、冷却室１０６で生成された冷気は冷却ファン１０４により吸引され、ダンパダクト１２７、冷蔵冷気ダクト１２６を介して上箱体１１５内の冷蔵室となる貯蔵室１０３に供給されるとともに、往きダクト１２１内の冷気往き通路１２９を介して下箱体１１６内の冷凍室となる貯蔵室１０３に供給される。そして、前記各貯蔵室１０２，１０３内の食材を冷却した後、冷却ファン１０４に吸引されて冷却室１０６へと戻り、ここで冷却された後再び各貯蔵室１０２，１０３へと供給循環されていく。
【００３９】
ここで、この冷蔵庫は上記冷却ファン１０４が前記各貯蔵室１０２，１０３同士の間に位置する往きダクト１２１内に設けてあるので、冷却室１０６前方の貯蔵室１０２の容積を大きなものとすることができる。
【００４０】
すなわち、冷却ファン１０４は前後設置幅を少なくすべく傾斜設置してもその一端、この例では前端部は冷凍室となる貯蔵室１０２側にはみ出す形となるが、このはみ出す前端部は図８から明らかなように前記冷凍室となる貯蔵室１０２と冷蔵室となる貯蔵室１０３との間の後方に位置する往きダクト１２１の前後方向スペース内に位置するから貯蔵室１０２の容積を減少させるように影響することはない。換言すると、貯蔵室１０２自体の背面部においては冷却ファン１０４を設置する前後幅を必要としない、つまり設置容積を削減することができる。したがって、冷却器１０５を設置した冷却室１０６の前後幅を必要最小限に抑制することができ、その結果、冷却室１０６前方の貯蔵室１０２容積を大きなものとすることができる。
【００４１】
また、この実施の形態において前記各貯蔵室１０２，１０３は、上・下箱体１１５，１１６を組み合わせて形成しているから、冷蔵庫本体１０１内に複数の貯蔵室１０２，１０３を形成するに際し一つの大きな内箱内に別途仕切板を設けて貯蔵室１０２，１０３を区画形成する必要がなくなり、仕切板を必要としなくなる。したがって、その分構成や組み立て工数の簡素化を図ることができる。
【００４２】
また、上下箱体１１５、１１６は樹脂成形して製造するので金型の抜き勾配が必要になり、上下箱体の各壁面１１５ａ、１１６ａで構成される仕切板１１７は後方に向かって厚くなるので、往きダクト１２１のダクト長が長くでき冷却ファン１０４を配置する空間を確保できる。
【００４３】
しかも、上記冷却ファン１０４を内蔵した往きダクト１２１はモジュール化してどのような形状や大きさの冷蔵庫本体であっても組み込むことができ、共用化によるコストダウンや機種展開等の容易化を実現することができる。
【００４４】
例えば、各貯蔵室１０２，１０３間に冷却ファン１０４を設ける他の例として内箱とは別に当該内箱内を区画するために設ける仕切板の後部に冷却ファンを組み込む等のことが考えられるが、この方式の場合は冷蔵庫本体１０１の形状や大きさに応じた仕切板しか使用できず共用化できない。
【００４５】
しかしながら、本実施の形態で示す往きダクト１２１であれば、冷蔵庫本体１０１の形状や大きさが異なっていても冷気通路の大きさや形状はほぼ一定のものにすることができるから、冷蔵庫本体１０１の大きさや形状に制約を受けることなく一定のダクト形状として共用化することができる。したがって、冷蔵庫本体１０１がどのような形状や大きさの冷蔵庫本体であっても組み込むことが可能となり、共用化によるコストダウンや機種展開
等を容易に実現することができるのである。
【００４６】
加えて、前記冷却ファン１０４を設けた往きダクト１２１は前記各箱体１１５，１１６の後方部を連結しているので、上・下箱体１１５，１１６を一体化して構成した内箱１１１全体の剛性を高めることができる。したがって、内箱１１１を生産過程で移動させる時等に損傷させてしまう等のことを防止できると同時に、内箱移動も気を使うことなくスムーズに行えるようになり、歩留まりや生産性を向上させてコストダウンを図ることができる。
【００４７】
また、この実施の形態では前記冷却ファン１０４を内蔵した往きダクト１２１は、その吸込口１２８と隣接する前記冷却ファン１０４の吹出し側部分に冷気往き通路１２９を設けてあるから、これを冷蔵庫本体１０１に組み込み設置するだけで当該往きダクト１２１よりも下方位置の貯蔵室１０２への冷気通路を確保することができ、冷蔵庫本体１０１側の冷気通路構成を簡素化することができる。
【００４８】
しかも、吸込口１２８と冷気往き通路１２９を隣接設置したことにより往きダクト１２１の吸込口側部分は吸込口１２８部分と冷気往き通路１２９部分との二重構成となってその剛性を向上させることができる。したがって、上・下箱体１１５，１１６と外箱１１０との間に充填した発泡断熱材１１２の発泡圧が往きダクト１２１の外周に加わっても、往きダクト１２１が変形し冷気漏れを引き起こすようなことを防止でき、品質の安定化を図ることができる。
【００４９】
更に、前記往きダクト１２１は枠状に形成したファン保持部１２４に冷却ファン１０４のファン筐体１２５を圧入嵌合し固定して一体化した構成としてあるから、ファン保持部１２４とファン筐体１２５との間から冷気が漏れるのを防止でき、冷気漏れによる効率低下を防止できる。また、往きダクト１２１と冷却ファン１０４とがユニット化されて一つの部品となるから、搬送時等における取り扱いが容易になって生産性も向上する。
【００５０】
また、この実施の形態で示した冷蔵庫では上記各箱体１１５，１１６の前端フランジ１１８，１１９を金属製の前板１２０で連結しているので、使用者が第１扉１１３や第２扉１１４を開いたときに目にすることになる仕切板１１７の前端面は樹脂製前板の場合のような微妙な凹凸等のない平面度の高い面となり、冷蔵庫の品位を向上させることができる。
【００５１】
なお、上記前板１２０は図７に図示したように前記上・下各箱体１１５，１１６の前端フランジ１１８，１１９に圧入装着する係合用凹部１３１ａの前面側部分を二重に重合させておくことにより剛性を高めることができる。これにより、上下各箱体１１５，１１６の前端フランジ１１８，１１９側に樹脂成型特有の撓み等が生じてもこれを矯正した形で平面度を上げることができ、仕切板前端面を金属製の前板１２０としたことと相まってその品位はさらに高いものとすることができる。
【００５２】
また、前記各箱体１１５，１１６は、この実施の形態では上・下箱体を一体形成しておいてこれを切り離して構成してあり、上・下箱体１１５，１１６を別々に生産する場合に比べその生産性が向上し、さらなるコストダウンを図ることができる。
【００５３】
なお、この上・下箱体１１５，１１６は一体成型して切り離すことなく初めから別個に形成したものであってもよいものである。
【００５４】
また、前記前板１２０はその横方向全域に設けた係合用凹部１３１ａに上・下各箱体１１５，１１６の前端フランジ１１８，１１９を圧入させてこれら各箱体１１５，１１６を
連結一体化しているので、上・下各箱体１１５，１１６の壁面１１５ａ，１１６ａ間に充填発泡した発泡断熱材１１２の一部が例えば横方向略中央の一部分から漏出するようなことを防止できる。したがって、上下各箱体１１５，１１６の前端フランジ１１８，１１９を前板１２０で連結一体化する構成としても高い歩留まりを確保でき、安定した品質とコストダウンを達成することができる。
【００５５】
しかも前記各上・下箱体１１５，１１６の前端フランジ１１８，１１９を連結する前板１２０の内側には結露防止用放熱パイプ１３３が設けてあるから、前板表面に結露が生じるのを防止することもでき、信頼性を高めることができる。特に、前板１２０を金属製としたことによって貯蔵室からの低温伝導の影響を受けやすくなっていても、これを前記結露防止用放熱パイプ１３３からの熱によって温めて結露発生を防止でき、金属製前板で平面度を上げて向上させた品位を結露付着によって落とすことなく更に高いものとすることができ、効果的である。
【００５６】
また、この冷蔵庫では、前記上箱体１１５と下箱体１１６の壁面１１５ａ，１１６ａ同士間の仕切板１１７となる全域は発泡断熱材１１２が充填した形となっている。したがって、発泡スチロール等を断熱材とした別体構成の仕切板で内箱内を区画形成するものに比べその断熱性ははるかに高いものとなり、設定温度の高い側の箱体、この実施の形態の場合は、冷蔵庫となる上箱体１１５と、設定温度の低い冷凍室となる下箱体１１６との間の断熱性は良好なものとなる。その結果、上箱体１１５から下箱体１１６へ熱が移動するのを強力に抑制することができ、その分、下箱体１１５内を冷却する頻度が少なくなって電力消費量を低減することができる。
【００５７】
以上、本発明に係る冷蔵庫について、上記実施の形態を用いて説明してきたが、本発明は、これに限定されるものではなく、本発明の目的を達成する範囲内で種々変更可能であることは言うまでもない。従って、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００５８】
以上のように本発明は、冷却ファン設置による貯蔵室容積減少を抑制して大きな貯蔵室容積を確保した冷蔵庫を提供することができき、一般用はもちろん業務用の冷蔵庫にも幅広く適用できる。
【符号の説明】
【００５９】
１０１  冷蔵庫本体
１０２  貯蔵室（冷凍室）
１０３  貯蔵室（冷蔵室）
１０４  冷却ファン
１０５  冷却器
１０６  冷却室
１１０  外箱
１１１  内箱
１１２  発泡断熱材
１１３  第１扉
１１４  第２扉
１１５  上箱体
１１６  下箱体
１１５ａ，１１６ａ  壁面
１１７  仕切板
１１８，１１９  前端フランジ
１２０  前板
１２１  往きダクト
１２２  戻りダクト
１２３  吐出口
１２４  ファン保持部
１２５  ファン筐体
１２６  冷蔵冷気ダクト
１２７  ダンパダクト
１２８  吸込口
１２９  冷気往き通路
１３０  フランジ
１３１  係合片部
１３２  凹条部
１３３  結露防止用放熱パイプ
【図１】
2016186378.tif 000003
【図２】
2016186378.tif 000004
【図３】
2016186378.tif 000005
【図４】
2016186378.tif 000006
【図５】
2016186378.tif 000007
【図６】
2016186378.tif 000008
【図７】
2016186378.tif 000009
【図８】
2016186378.tif 000010
【図９】
2016186378.tif 000011
【図１０】
2016186378.tif 000012
【図１１】
2016186378.tif 000013
【図１２】
2016186378.tif 000014
【図１３】
2016186378.tif 000015